(57)【要約】【課題】薄型のバックライト装置および表示装置を提供する。【解決手段】実施形態によれば、１または複数の光源と、表示パネルと、第１の光学部材と、第２の光学部材と、を備える表示装置が提供される。前記表示パネルは、前記光源と対向して設けられる。前記第１の光学部材は、前記光源と前記表示パネルとの間に設けられ、前記光源から照射された光の一部を拡散および前記表示パネルへ透過し、一部を反射する。前記第２の光学部材は、前記光源と前記第１の光学部材との間に設けられ、前記光源から照射された光を透過し、前記第１の光学部材から反射された光を反射する。【選択図】図３
2013157083.tif 000002
【特許請求の範囲】
【請求項１】
１または複数の光源と、
前記光源と対向して設けられる表示パネルと、
前記光源と前記表示パネルとの間に設けられ、前記光源から照射された光の一部を拡散および前記表示パネルへ透過し、一部を反射する第１の光学部材と、
前記光源と前記第１の光学部材との間に設けられ、前記光源から照射された光を透過し、前記第１の光学部材から反射された光を反射する第２の光学部材と、を備える表示装置。
【請求項２】
前記第１の光学部材は、前記表示パネルの輝度が均一になるように、前記光源から照射された光の一部を拡散および前記表示パネルへ透過し、一部を反射する請求項１に記載の表示装置。
【請求項３】
前記第１の光学部材は、
拡散板または拡散シートと、
前記拡散板または拡散シートに設けられた、複数の孔が形成された反射部材と、を有する請求項１または２に記載の表示装置。
【請求項４】
前記表示パネルの輝度が均一になるように、前記複数の孔の大きさ、形状および密度のうちの少なくとも１つが調整される請求項３に記載の表示装置。
【請求項５】
前記複数の光源は、互いに間に隙間を空けて配置され、
前記光源と対向する部分に形成される前記孔は、前記隙間と対向する部分に形成される孔より小さい請求項３または４に記載の表示装置。
【請求項６】
基板を備え、
前記光源は前記基板上の一部に設けられ、
前記基板の前記光源が設けられない部分には、反射材が形成される請求項１乃至５のいずれかに記載の表示装置。
【請求項７】
前記第２の光学部材は、
前記光源から照射された光に対しては、第１の所定値以上の透過率であり、
前記第１の光学部材から反射された光に対しては、第２の所定値以上の反射率である請求項１乃至６のいずれかに記載の表示装置。
【請求項８】
前記光源は、面光源である請求項１乃至７のいずれかに記載の表示装置。
【請求項９】
前記光源は、有機ＥＬ光源である請求項１乃至８のいずれかに記載の表示装置。
【請求項１０】
放送波を受信してチューニングするチューナを有し、
前記表示パネルは、前記チューニングされた放送波に応じた映像を表示する請求項１乃至９のいずれかに記載の表示装置。
【請求項１１】
表示パネルを有する表示装置用のバックライト装置であって、
前記表示パネルと対向して設けられる１または複数の光源と、
前記光源と前記表示パネルとの間に設けられ、前記光源から照射された光の一部を拡散および前記表示パネルへ透過し、一部を反射する第１の光学部材と、
前記光源と前記第１の光学部材との間に設けられ、前記光源から照射された光を透過し、前記第１の光学部材から反射された光を反射する第２の光学部材と、を備えるバックライト装置。
【請求項１２】
前記第１の光学部材は、前記表示パネルの輝度が均一になるように、前記光源から照射された光の一部を拡散および前記表示パネルへ透過し、一部を反射する請求項１１に記載のバックライト装置。
【請求項１３】
前記第１の光学部材は、
拡散板または拡散シートと、
前記拡散板または拡散シートに設けられた、複数の孔が形成された反射部材と、を有する請求項１１または１２に記載のバックライト装置。
【請求項１４】
前記表示パネルの輝度が均一になるように、前記複数の孔の大きさ、形状および密度のうちの少なくとも１つが調整される請求項１３に記載のバックライト装置。
【請求項１５】
前記複数の光源は、互いに間に隙間を空けて配置され、
前記光源と対向する部分に形成される前記孔は、前記隙間と対向する部分に形成される孔より小さい請求項１３または１４に記載のバックライト装置。
【請求項１６】
基板を備え、
前記光源は前記基板上の一部に設けられ、
前記基板の前記光源が設けられない部分には、反射材が形成される請求項１１乃至１５のいずれかに記載のバックライト装置。
【請求項１７】
前記第２の光学部材は、
前記光源から照射された光に対しては、第１の所定値以上の透過率であり、
前記第１の光学部材から反射された光に対しては、第２の所定値以上の反射率である請求項１１乃至１６のいずれかに記載のバックライト装置。
【請求項１８】
前記光源は、面光源である請求項１１乃至１７のいずれかに記載のバックライト装置。
【請求項１９】
前記光源は、有機ＥＬ光源である請求項１１乃至１８のいずれかに記載のバックライト装置。
【発明の詳細な説明】
【技術分野】
【０００１】
本発明の実施形態は、バックライト装置および表示装置に関する。
【背景技術】
【０００２】
近年、液晶表示装置（Liquid Crystal Display：ＬＣＤ）が広く用いられるようになってきている。ＬＣＤは、一対のガラス基板の間に液晶材料を配置して構成される液晶パネルと、液晶パネルの背面から液晶パネルに光を照射するバックライト装置とを備えている。
【０００３】
バックライト装置の光源として、例えば有機ＥＬ（Electro-Luminescence）光源が考えられる。しかしながら、大型の有機ＥＬ光源を製造するのは困難であり、小型の有機ＥＬ光源を複数個配列して用いることになる。ところが、そうすると有機ＥＬ光源同士の隙間の上方の液晶パネルが暗くなってしまう。
【０００４】
そのため、現在ではＬＥＤ（Light Emitting Diode）を用いたバックライト装置が主流となっている。ＬＥＤを用いたバックライト装置はエッジ型および直下型の２種類に大別される。
【０００５】
エッジ型のバックライト装置は、ＬＥＤ等の光源から、液晶パネルの背面に配置された導光板の側面に向けて光を照射し、広く拡散させた光を、導光板の液晶パネルと対向する面から取り出すものである。この方式によると、バックライト装置を薄くできるが、その反面、大型化すると液晶パネルの中央を明るく照射できないため輝度ムラができやすい、あるいは、光源を配置するためにベゼル幅を広くする必要がある、という問題がある。ベゼル幅が広いと、表示領域が小さく見えてしまうことがある。
【０００６】
一方、直下型のバックライト装置は、液晶パネルの直下にアレイ状に光源を配置し、拡散板等を介して液晶パネルに光を照射するものである。この方式によると、エッジ型とは対照的に、液晶パネルの中央を明るく照射できるため輝度ムラが出にくく、ベゼル幅を狭くすることもできるが、バックライト装置が厚くなってしまうという問題がある。
【先行技術文献】
【特許文献】
【０００７】
【特許文献１】特開２００７−２５１８７号公報
【発明の概要】
【発明が解決しようとする課題】
【０００８】
薄型のバックライト装置および表示装置を提供する。
【課題を解決するための手段】
【０００９】
実施形態によれば、１または複数の光源と、表示パネルと、第１の光学部材と、第２の光学部材と、を備える表示装置が提供される。前記表示パネルは、前記光源と対向して設けられる。前記第１の光学部材は、前記光源と前記表示パネルとの間に設けられ、前記光源から照射された光の一部を拡散および前記表示パネルへ透過し、一部を反射する。前記第２の光学部材は、前記光源と前記第１の光学部材との間に設けられ、前記光源から照射された光を透過し、前記第１の光学部材から反射された光を反射する。
【図面の簡単な説明】
【００１０】
【図１】一実施形態に係る表示装置１１０を含む画像表示システムの概略ブロック図。
【図２】表示モジュール２００の概略ブロック図。
【図３】液晶パネル１およびバックライト装置６の概略構成図。
【図４】液晶パネル１およびバックライト装置６の断面図。
【図５】有機ＥＬ光源１２の概略断面図。
【図６】有機発光層２３をより詳細に示す断面図。
【図７】有機ＥＬ光源１２から照射された光のレイパスを示す図。
【図８】有機ＥＬ光源１２から照射された光のレイパスを示す図。
【図９】有機ＥＬ光源１２から照射された光のレイパスを示す図。
【発明を実施するための形態】
【００１１】
以下、実施形態について、図面を参照しながら具体的に説明する。
【００１２】
図１は、一実施形態に係る表示装置１１０を含む画像表示システムの概略ブロック図である。
【００１３】
画像表示装置１１０は、各部の動作を制御する制御部１５６と、操作部１１６と、受光部１１８とを備えている。制御部１５６は、ＲＯＭ（Read Only Memory）１５７と、ＲＡＭ（Random Access Memory）１５８と、ＣＰＵ（Central Processing Unit）１５９と、フラッシュメモリ１６０とを有する。
【００１４】
制御部１５６は、操作部１１６から入力される操作信号や、リモートコントローラ１１７から送信され受光部１１８を介して入力される操作信号に応じて、ＲＯＭ１５７に予め記憶されたシステム制御プログラムおよび各種処理プログラムを起動させる。制御部１５６は、ＲＡＭ１５８をＣＰＵ１５９のワークメモリとし、起動したプログラムに従って各部の動作を制御する。また制御部１５６は、各種設定に必要な情報等を例えばＮＡＮＤフラッシュメモリ等のような不揮発性のメモリであるフラッシュメモリ１６０に格納して使用する。
【００１５】
また、画像表示装置１１０は、入力端子１４４と、チューナ１４５と、ＰＳＫ（Phase Shift Keying）復調器１４６と、ＴＳ（Transport Stream）復号器１４７ａと、信号処理部１２０とを備えている。
【００１６】
入力端子１４４は、ＢＳ／ＣＳデジタル放送受信用のアンテナ１４３が受信した衛星デジタルテレビジョン放送信号を、衛星デジタル放送用のチューナ１４５に送信する。チューナ１４５は、受信したデジタル放送信号のチューニングを行い、チューニングされたデジタル放送信号をＰＳＫ復調器１４６に送信する。ＰＳＫ復調器１４６は、デジタル放送信号からＴＳを復調し、復調されたＴＳをＴＳ復号器１４７ａに送信する。ＴＳ復号器１４７ａは、ＴＳをデジタル映像信号、デジタル音声信号、およびデータ信号を含むデジタル信号に復号した後、信号処理部１２０にこれらを送信する。
【００１７】
ここでのデジタル映像信号とは、画像表示装置１１０が出力可能な映像に関するデジタル信号であり、デジタル音声信号とは、画像表示装置１１０が出力可能な音声に関するデジタル信号である。またデータ信号とは、復調されたサービスについての各種情報を示すデジタル信号である。
【００１８】
また、画像表示装置１１０は、入力端子１４９と、２つのチューナ１５０ａ，１５０ｂを有するチューナ部１５０と、２つのＯＦＤＭ（Orthogonal Frequency Division Multiplexing）復調器１５１と、２つのＴＳ復号器１４７ｂと、アナログチューナ１６８と、アナログ復調器１６９とを備えている。
【００１９】
入力端子１４９は、地上波デジタル放送受信用のアンテナ１４８が受信した地上波デジタルテレビジョン放送信号を、地上波デジタル放送用のチューナ部１５０に送信する。チューナ部１５０のチューナ１５０ａ，１５０ｂは、それぞれ受信したデジタル放送信号のチューニングを行い、チューニングされたデジタル放送信号を、２つ存在するＯＦＤＭ復調器１５１に送信する。ＯＦＤＭ復調器１５１は、デジタル放送からＴＳを復調し、復調されたＴＳをそれぞれ対応するＴＳ復号器１４７ｂに送信する。ＴＳ復号器１４７ｂは、ＴＳをデジタル映像信号および音声信号等に復号した後、信号処理部１２０にこれらを送信する。チューナ部１５０のチューナ１５０ａ，１５０ｂのそれぞれで取得した地上波デジタルテレビジョン放送は、２つずつのＯＦＤＭ復調器１５１、ＴＳ復号器１４７ｂによってそれぞれ同時にデジタル映像信号、デジタル音声信号、およびデータ信号を含むデジタル信号として復号された後に、信号処理部１２０に送信されることが可能である。
【００２０】
アンテナ１４８は、地上波アナログテレビジョン放送信号も受信可能である。受信された地上波アナログテレビジョン放送信号は、図示しない分配器によって分配されて、アナログチューナ１６８に送信される。アナログチューナ１６８は、受信したアナログ放送信号のチューニングを行い、チューニングされたアナログ放送信号をアナログ復調器１６９に送信する。アナログ復調器１６９はアナログ放送信号の復調を行い、復調されたアナログ放送信号を信号処理部１２０に送信する。また、画像表示装置１１０は、一例として、アンテナ１４８が接続される入力端子１４９にＣＡＴＶ（Common Antenna Television）用のチューナを接続することによってＣＡＴＶも視聴できる。
【００２１】
また、画像表示装置１１０は、ライン入力端子１３７と、音声処理部１５３と、スピーカ１１５と、グラフィック処理部１５２と、ＯＳＤ（On Screen Display）信号生成部１５４と、映像処理部１５５と、と、表示モジュール２００とを備えている。
【００２２】
信号処理部１２０は、ＴＳ復号器１４７ａ、１４７ｂ、または制御部１５６から送信されたデジタル信号に、適切な信号処理を施す。より具体的には、信号処理部１２０はデジタル信号をデジタル映像信号、デジタル音声信号、およびデータ信号に分離する。分離されたデジタル映像信号はグラフィック処理部１５２に、音声信号は音声処理部１５３に送信される。また信号処理部１２０は、アナログ復調器１６９から送信された放送信号を、所定のデジタルフォーマットの映像信号および音声信号に変換する。デジタルに変換された映像信号はグラフィック処理部１５２に、音声信号は音声処理部１５３に送信される。また信号処理部１２０は、ライン入力端子１３７からの入力信号にも所定のデジタル信号処理を施す。
【００２３】
音声処理部１５３は、入力された音声信号を、スピーカ１１５で再生可能なフォーマットのアナログ音声信号に変換する。アナログ音声信号は、スピーカ１１５に送信されて再生される。
【００２４】
ＯＳＤ信号生成部１５４は、制御部１５６の制御に従って、ＵＩ（ユーザ・インタフェース）画面などを表示するためのＯＳＤ信号を生成する。また信号処理部１２０においてデジタル放送信号から分離されたデータ信号は、ＯＳＤ信号生成部１５４により適切なフォーマットのＯＳＤ信号に変換され、グラフィック処理部１５２に送信される。
【００２５】
グラフィック処理部１５２は、信号処理部１２０から送信されるデジタル映像信号のデコード処理を行う。デコードされた映像信号は、ＯＳＤ信号生成部１５４から送信されたＯＳＤ信号と重ね合わせて合成され、映像処理部１５５に送信される。グラフィック処理部１５２は、デコードされた映像信号またはＯＳＤ信号を、映像処理部１５５に選択的に送信することもできる。
【００２６】
映像処理部１５５は、グラフィック処理部１５２から送信された信号を、表示モジュール２００で表示可能なフォーマットのアナログ映像信号に変換する。アナログ映像信号は、表示モジュール２００に送信されて表示される。表示モジュール２００の詳細は図２を用いて後述する。
【００２７】
さらに、画像表示装置１１０は、ＬＡＮ（Local Area Network）端子１３１と、ＬＡＮ  Ｉ／Ｆ（Interface）１６４と、ＵＳＢ（Universal Serial Bus）端子１３３と、ＵＳＢ  Ｉ／Ｆ１６５と、ＨＤＤ（Hard Disk Drive）１７０とを備えている。
【００２８】
ＬＡＮ端子１３１はＬＡＮ  Ｉ／Ｆ１６４を介して制御部１５６に接続されている。ＬＡＮ端子１３１はイーサネット（登録商標）を用いた一般的なＬＡＮ対応ポートとして使用される。本実施形態において、ＬＡＮ端子１３１にはＬＡＮケーブルが接続されており、インターネット１３０と通信可能となっている。
【００２９】
ＵＳＢ端子１３３はＵＳＢ Ｉ／Ｆ１６５を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００３０】
ＨＤＤ１７０は画像表示装置１１０に内蔵される磁気記憶媒体であって、画像表示装置１１０が有する各種情報を記憶する機能を有する。
【００３１】
図２は、表示モジュール２００の概略ブロック図である。表示モジュール２００は、液晶パネル（表示パネル）１と、タイミングコントローラ２と、ゲートドライバ３と、ソースドライバ４と、バックライトコントローラ５と、バックライト装置６とを備えている。
【００３２】
液晶パネル１は、一対のガラス基板を対向配置して、これらガラス基板の間に液晶材料を配置した構造である。液晶パネル１は、複数（例えば１０８０本）の走査線と、複数（例えば１９２０＊３本）の信号線と、走査線および信号線の各交差箇所に形成される液晶画素とを有する。
【００３３】
タイミングコントローラ２は、図１の映像処理部から入力される入力映像信号をソースドライバ４に供給するとともに、ゲートドライバ３、ソースドライバ４およびバックライトコントローラ５の動作タイミングを制御する。
【００３４】
ゲートドライバ３は走査線の１つを順繰りに選択する。ソースドライバ４は入力映像信号を液晶パネル１の信号線に供給する。この入力映像信号はゲートドライバ３に選択された走査線に接続される液晶画素に供給され、入力映像信号の電圧に応じて、液晶画素内の液晶材料の配向が変化する。ゲートドライバ３およびソースドライバ４はパネルコントローラを構成する。
【００３５】
一方、バックライト装置６は液晶パネル１の背面に設けられ、液晶パネル１に光を照射する。照射された光のうち、液晶材料の配向に応じた強度の光が液晶材料を透過して、液晶パネル１上に表示される。
【００３６】
図３は、液晶パネル１およびバックライト装置６の概略構成図である。また、図４は、液晶パネル１およびバックライト装置６の断面図である。バックライト装置６は、アルミニウム等の基板１１と、基板１１上に配置される有機ＥＬ光源１２と、有機ＥＬ光源１２と液晶パネル１との間に配置される拡散板１３と、有機ＥＬ光源１２と拡散板１３との間に配置される半透明反射シート１４とを有する。なお、これらに加えて、適宜光学シートをバックライト装置６内に設けてもよい。
【００３７】
有機ＥＬ光源１２は液晶パネル１に向かって光を照射する。拡散板１３は、液晶パネル１の輝度が均一になるように、有機ＥＬ光源１２から照射された光の一部を液晶パネル１へ拡散および透過し、一部を半透明反射シート１４へ反射する。半透明反射シート１４は、有機ＥＬ光源１２から照射された光を拡散板１３へ透過し、拡散板１３から反射された光を拡散板１３へ反射する。
【００３８】
拡散板１３を設けることにより、バックライト装置６を薄型化できるとともに液晶パネル１の輝度ムラを抑制できる。また、半透明反射シート１４を設けることにより、有機ＥＬ光源１２から照射される光を効率よく利用できる。さらに、有機ＥＬ光源１２のような面光源を用いることにより、バックライト装置６を特に薄型化できる。以下、各部材についてより詳細に説明する。
【００３９】
有機ＥＬ光源１２は各辺が２０ｃｍ程度の略正方形である。そして、図３に示すように、有機ＥＬ光源１２は、基板１１上に互いに離間してアレイ状に配置され、間には隙間が空いている。この隙間には、有機ＥＬ光源１２を駆動制御するための配線（不図示）等が設けられる。また、隙間には、有機ＥＬ光源１２から照射される光の取り出し効率を上げるために、反射膜（不図示）を形成してもよい。
【００４０】
同図では、８枚の有機ＥＬ光源１２を配置する例を示しているが、液晶パネル１のサイズおよび有機ＥＬ光源１２のサイズに応じて適切に配置すればよい。例えば、１つの有機ＥＬ光源１２を用いてもよい。
【００４１】
図５は、有機ＥＬ光源１２の概略断面図である。有機ＥＬ光源１２は、ガラス等の基板２１と、アルミニウム等の陰極２２と、光を発する有機発光層２３と、ＩＴＯ（Indium Tin Oxide） 等からなる光透過性の陽極２４と、樹脂等の封止材２５とを有する。有機発光層２３が水分や空気に触れて劣化するのを抑えるため、封止材２５により有機発光層２３を囲んで封止している。
【００４２】
図６は、有機発光層２３をより詳細に示す断面図である。有機発光層２３は、電子注入層ＥＩＬと、電子輸送層ＥＴＬと、発光層ＥＭＬと、正孔輸送層ＨＴＬと、正孔注入層ＨＩＬとを有する。なお、白色の光を発するために、発光層ＥＭＬは、赤、緑および青の各色を発光する有機材料の積層あるいは混合層であるが、同図では簡略化して１層で描いている。
【００４３】
図５の陽極２４から図６の正孔注入層ＨＩＬおよび正孔輸送層ＨＴＬを介して発光層ＥＭＬに注入される正孔と、図５の陰極２２から図６の電子注入層ＥＩＬおよび電子輸送層ＥＴＬを介して発光層ＥＭＬに注入される電子とが再結合して、発光層ＥＭＬに含まれる不純物に応じた色で発光する。
【００４４】
図５で示すように、封止材２５は光を発しない。また、図４に示すように、有機ＥＬ光源１２同士の間は隙間が空いている。さらに、基板１１の外周付近には有機ＥＬ光源１２が配置されない。そこで、本実施形態は、封止材２５の上方、隙間の上方、および基板１１の外周の上方（以下では、これらをまとめて非発光領域と呼ぶ）の液晶パネル１が暗くなって輝度ムラが生じるのを抑制することを図るものである。
【００４５】
なお、本実施形態では、バックライト装置６を特に薄型化するとともに低消費電力で動作させるために有機ＥＬ光源１２を用いる例を示しているが、ある程度の面積が発光する他の面光源でもよい。例えば、ＬＥＤ等の点光源を内部に含んで面光源として発光するようにユニット化したモジュール等で面光源が構成されるとしてもよい。
【００４６】
次に、図３および図４の拡散板１３について説明する。拡散板１３の一方の面または両面には、光を透過する複数の微小な孔（マイクロホール）からなる開口パターンが形成された反射被膜が塗布されている。よって、拡散板１３に照射された光のうち、反射被膜が塗布された部分に当たった光は有機ＥＬ光源１２側へ反射する一方、反射被膜が塗布されていない部分（すなわち孔）に当たった光は非発光領域の上方にも拡散されて、液晶パネル１へ透過する。
【００４７】
有機ＥＬ光源１２の配置および配向分布を考慮し、有機ＥＬ光源１２を全点灯した時に液晶パネル１の輝度が均一となるように、開口パターンの形状、大きさおよび密度等の少なくとも１つを調整する。例えば、有機ＥＬ光源１２の有機発光層２３と対向する部分に形成される孔を、非発光領域と対向する部分に形成される孔より小さくする。
【００４８】
このような拡散板１３を配置することで、バックライト装置６を薄型化できるとともに、液晶パネル１の輝度ムラを抑制できる。なお、拡散板１３に代えて拡散シートを用いてもよい。
【００４９】
次に、図３および図４の半透明反射シート１４について説明する。半透明反射シート１４は、例えば透明高分子フィルムの片面にホログラムを形成したシートであり、比較的安価な部材である。そして、有機ＥＬ光源１２から照射された光に対しては高い透過率を示す。理想的には、透過率が１００％であるのが望ましいが、ある程度透過率が高ければよく、多少の光を吸収または反射しても構わない。一方、拡散板１３の反射被膜から反射されて半透明反射シート１４に到達した光に対しては高い反射率を示す。同様に、理想的には、反射率が１００％であるのが望ましいが、ある程度反射率が高ければよく、多少の光を吸収または透過しても構わない。
【００５０】
仮に半透明反射シート１４を設けないと、拡散板１３で反射した光は有機ＥＬ光源１２に到達する。有機ＥＬ光源１２はあまり光を反射しないため、液晶パネル１側から取り出すことができない。結果として、光の利用効率が低下してしまう。これに対し、本実施形態では、半透明反射シート１４を設け、拡散板１３で反射された光をさらに拡散板１３へ反射するため、光を効率よく利用でき、液晶パネル１を十分明るく照射できる。
【００５１】
続いて、有機ＥＬ光源１２から照射された光の振る舞い（レイパス）について説明する。
【００５２】
図７〜図９は、有機ＥＬ光源１２から照射された光のレイパスを示す図である。まず、図７に示すように、有機ＥＬ光源１２から照射された光の大部分は半透明反射シート１４を透過して、拡散板１３に到達する。次に、図８に示すように、拡散板１３に到達した光のうち、反射被膜が形成されていない孔に当たった光は、拡散板１３の内部で拡散してこれを透過し、液晶パネル１を照射する。一方、反射被膜が形成された場所に当たった光は、半透明反射シート１４側へ反射される。さらに、図９に示すように、半透明反射シート１４に反射された光の大部分は、半透明反射シート１４で拡散板１３へ反射される。
【００５３】
このようにして、有機ＥＬ光源１２から照射された光は、拡散板１３と半透明反射シート１４との間で反射を繰り返しながら拡散し、その過程で、一部は拡散板１３の反射被膜に形成された孔を透過して液晶パネル１に透過する。
【００５４】
以上説明したように、本実施形態では、有機ＥＬ光源１２と液晶パネル１との間に、一部の光を透過し、一部の光を反射する拡散板１３を設ける。そのため、バックライト装置６を薄型化できるとともに、液晶パネル１を均一に照射できる。また、有機ＥＬ光源１２と拡散板１３との間に半透明反射シート１４を設ける。そのため、有機ＥＬ光源１２から照射された光を効率よく利用できる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１  液晶パネル
６  バックライト装置
１１  基板
１２  有機ＥＬ光源
１３  拡散板
１４  半透明反射シート
【図１】
2013157083.tif 000003
【図２】
2013157083.tif 000004
【図３】
2013157083.tif 000005
【図４】
2013157083.tif 000006
【図５】
2013157083.tif 000007
【図６】
2013157083.tif 000008
【図７】
2013157083.tif 000009
【図８】
2013157083.tif 000010
【図９】
2013157083.tif 000011